(57)【要約】【課題】湾曲する下端縁部を安定した状態で台座部に載置して、商品を取り付けることができると共に、落下時等に商品が受ける衝撃を、効果的に吸収できる台座付き台紙を提供する。【解決手段】下端部分に商品２０を載置する台座部１１を備える台座付き台紙１０であって、台座部１１は、上面板１６を台紙本体１２に対して前方に折り曲げ、前面板１７を上面板１６に対して下方に折り曲げ、底面板１８を前面板１７に対して後方に折り曲げ、背面板１９を底面板１８に対して上方に折り曲げた状態で、背面板１９の先端部分１９ａを台紙本体１２の背面に接合することで、略ロの字の断面形状を有するように形成される。台座部１１の上面板１６は、一対の側部上面部１６ａによって挟まれる中間部分に、商品２０の縁部を側部上面部１６ａよりも下方に臨ませる中間凹部１６ｂを備えている。下端縁部を中間凹部１６ｂに配置して、商品２０が台座部１１に載置される。【選択図】図１
2015089818.tif 000002
【特許請求の範囲】
【請求項１】
折曲げ線及び切込み線が設けられた１枚のブランクから形成され、下端部分に商品を載置する、台座部を備える台座付き台紙であって、
前記台座部は、平板状の台紙本体の一端側に第１折曲げ線を介して連設する上面板と、該上面板の一端側に第２折曲げ線を介して連設する前面板と、該前面板の一端側に第３折曲げ線を介して連設する底面板と、該底面板の一端側に第４折曲げ線を介して連設する背面板とを含み、
前記台座部の前記上面板は、一対の側部上面部によって挟まれる中間部分に、前記商品の縁部を前記側部上面部よりも下方に臨ませる中間凹部を備えており、
該中間凹部は、両側の前記側部上面部の内側縁部から中央側に向けて各々片持ち梁状に張り出して設けられた一対の張出し片を、下方に撓み変形させることによって形成され、
前記商品の下端縁部を前記中間凹部に配置して、これの両側の前記側部上面部に支持させた状態で、前記商品が前記台座部に載置される台座付き台紙。
【請求項２】
前記台座部の前記前面板は、前記上面板の一対の前記側部上面部の間の部分において、前記第２折曲げ線よりも上方に延設する幅止め片を備えている請求項１記載の台座付き台紙。
【請求項３】
前記底面板の側縁部分には、側縁から前記前面板の高さに相当する幅分離れた位置に、立設折曲げ線が各々形成されていると共に、前記第３折曲げ線及び前記第４折曲げ線は、これらの両側の端縁から前記立設折曲げ線までの部分が切り離された状態となっており、前記立設折曲げ線よりも外側の部分を立設フラップ片として、前記立設折曲げ線を介して上方に折り曲げ、折り曲げた前記立設フラップ片は、これの上端面が前記前面板の前記側部上面部の下面に各々当接するように配置される請求項１または２記載の台座付き台紙。
【請求項４】
前記立設フラップ片には、前記第４折曲げ線よりも前記背面板側に突出して、係止片が設けられており、該係止片は、前記台座部が形成された際に、前記背面板側に設けられた係止穴に係止される請求項３記載の台座付き台紙。
【請求項５】
前記台紙本体には、前記第１折曲げ線よりも前記上面板側に突出して、係止補助片が設けられており、該係止補助片は、前記台座部が形成された際に、前記背面板側に設けられた前記係止穴の前記係止片が係止された部分の外側周縁部に配置されて、前記係止片が前記係止穴から外れないように補強する請求項４記載の台座付き台紙。
【請求項６】
請求項１〜５のいずれか１項記載の台座付き台紙に、商品が、その下端縁部を前記上面板の前記中間凹部に配置されると共に、一対の前記側部上面部に支持させた状態で包装されている台座付き包装体。
【請求項７】
前記商品は、円形又は略円形の正面形状又は平面形状を有しており、円弧形状の下端縁部を前記中間凹部に配置されると共に、両側の前記側部上面部に支持させた請求項６記載の台座付き包装体。
【請求項８】
前記台座部に載置されて前記台座付き台紙に取り付けられている前記商品が、シュリンクフィルムによって覆われている請求項６又は７記載の台座付き包装体。
【発明の詳細な説明】
【技術分野】
【０００１】
本発明は、台座付き台紙に関し、特に１枚のブランクから形成され、下端部分に商品を載置する台座部を備える台座付き台紙に関する。
【背景技術】
【０００２】
例えば、化粧品類や文房具類等の小物の商品を陳列するための包装体として、紙製やプラスチック製の薄板状のシート材料からなる台紙に、接着剤やショリンクフィルム等を介して商品を取り付けた状態で、台紙と共に商品をフック部から吊り下げて陳列するものが知られている（例えば、特許文献１参照）。
【０００３】
特許文献１の吊り下げ台紙は、好ましくは縦長矩形形状の台紙本体の下端部分に、受け台（台座部）を備えている。受け台は、台紙を形成するための薄板状のシート材料であるブランクの、台紙本体と連設する部分を、例えば略ロの字の断面形状を有する立体形状に折り曲げることによって形成されている。特許文献１の吊り下げ台紙では、受け台に商品を載置して支持させた状態で、商品を台紙に取り付けることで、商品をフック部から吊り下げた際の台紙の傾きを抑制することが可能になり、これによって陳列時の展示効果を向上できるようになっている。
【先行技術文献】
【特許文献】
【０００４】
【特許文献１】特開平１１−１０５９２１号公報
【発明の概要】
【発明が解決しようとする課題】
【０００５】
下端部分に商品を載置する台座部を備える従来の台座付き台紙では、好ましくは縦長矩形形状の台紙本体の下方に連設する部分のブランクを、例えば台紙本体に対して垂直前方に折り曲げて上面板を形成し、上面板に対して垂直下方に折り曲げて前面板を形成し、前面板に対して垂直後方に折り曲げて底面板を形成し、さらに底面板に対して垂直上方に折り曲げて背面板を形成することによって、略ロの字の断面形状を有する立体形状の受け台として、台座部を簡易に形成できるようになっている。
【０００６】
一方、商品を載置する台座部を備える従来の台座付き台紙では、特に商品が、円形又は略円形の正面形状や平面形状を有している場合には、円弧状に湾曲する下端縁部を上面板に点接触で当接させた状態で、台座部に商品が載置されることになるため、安定性に欠けることになる。また、略ロの字の断面形状を有した剛性のある台座部に商品を固定した場合、例えば落下時や衝突時等に商品が受ける衝撃を十分に吸収することは困難であり、逆に台座部に柔軟性を持たせた場合は台座部の損傷が大きくなる。
【０００７】
本発明は、例えば商品が円形又は略円形の正面形状や平面形状を有していて、下端縁部が湾曲している場合でも、湾曲する下端縁部を安定した状態で台座部に載置して、商品を取り付けることができると共に、例えば落下時や衝突時に商品が受ける衝撃を、効果的に吸収することのできる台座付き台紙、及び該台座付き台紙を用いた台座付き包装体を提供することを目的とする。
【課題を解決するための手段】
【０００８】
本発明は、折曲げ線及び切込み線が設けられた１枚のブランクから形成され、下端部分に商品を載置する台座部を備える台座付き台紙であって、前記台座部は、平板状の台紙本体の一端側に第１折曲げ線を介して連設する上面板と、該上面板の一端側に第２折曲げ線を介して連設する前面板と、該前面板の一端側に第３折曲げ線を介して連設する底面板と、該底面板の一端側に第４折曲げ線を介して連設する背面板とを含み、前記台座部の前記上面板は、一対の側部上面部によって挟まれる中間部分に、前記商品の縁部を前記側部上面部よりも下方に臨ませる中間凹部を備えており、該中間凹部は、両側の前記側部上面部の内側縁部から中央側に向けて各々片持ち梁状に張り出して設けられた一対の張出し片を、下方に撓み変形させることによって形成され、前記商品の下端縁部を前記中間凹部に配置して、これの両側の前記側部上面部に支持させた状態で、前記商品が前記台座部に載置される台座付き台紙を提供することにより、上記目的を達成したものである。
【０００９】
また、本発明は、上述の台座付き台紙に、商品が、その下端縁部を前記上面板の前記中間凹部に配置されると共に、一対の前記側部上面部に支持させた状態で包装されている台座付き包装体を提供することにより、上記目的を達成したものである。
【発明の効果】
【００１０】
本発明の台座付き台紙、又は台座付き包装体によれば、例えば商品が円形又は略円形の正面形状や平面形状を有していて、下端縁部が湾曲している場合でも、湾曲する下端縁部を安定した状態で台座部に載置して、商品を取り付けることができると共に、例えば落下時や衝突時に商品が受ける衝撃を、効果的に吸収することができる。
【図面の簡単な説明】
【００１１】
【図１】本発明の好ましい一実施形態に係る台座付き台紙に商品を取り付けた台座付き包装体の斜視図である。
【図２】本発明の好ましい一実施形態に係る台座付き台紙を形成するためのブランクの展開図である。
【図３】ブランクから台座付き台紙を形成する工程を例示する斜視図である。
【図４】（ａ）は、ブランクから台座付き台紙を形成する工程を例示する斜視図及びＡ部拡大図であり、（ｂ）は、（ａ）のＡ部をＢ方向から見た拡大斜視図である。
【図５】本発明の好ましい一実施形態に係る台座付き台紙に取り付けられるコンパクト容器の斜視図である。
【発明を実施するための形態】
【００１２】
本発明の好ましい一実施形態に係る台座付き台紙１０は、図１に示すように、小物の商品２０として、例えば化粧料を収容したコンパクト商品２０を、台座部１１に載置して取り付けると共に、取り付けた商品２０を、好ましくはシュリンクフィルム（図示せず）によって覆うことで、商品２０と一体となって台座付き包装体３０を構成している。台座付き包装体３０は、好ましくは台紙１０の台紙本体１２の上端部分に形成された吊下げ孔１２ａを介して、例えば陳列用のフック部から吊り下げられた状態で陳列される。本実施形態の台座付き台紙１０は、紙製やプラスチック製の薄板状のシート材料である１枚のブランク１３（図２参照）を用いて、簡易に形成することができる。本実施形態の台座付き台紙１０は、商品２０が略円形の平面形状を有するコンパクト容器（図５参照）であっても、安定した状態で台座部１１に載置できるようにする機能を備えると共に、例えば落下時や衝突時に商品２０が受ける衝撃を、効果的に吸収できるようにする機能を備える。
【００１３】
そして、本実施形態の台座付き台紙１０は、図１及び図２に示すように、折曲げ線１４ａ，１４ｂ，１４ｃ，１４ｄ，１４ｅ及び切込み線１５ａ，１５ｂ，１５ｃ，１５ｄ，１５ｅ，１５ｆが設けられた１枚のブランク１３から形成され、下端部分に商品２０を載置する台座部１１を備える、商品を陳列するための台紙である。台座部１１は、平板状の台紙本体１２の一端側（下端部分側）に第１折曲げ線１４ａを介して連設する上面板１６と、上面板１６の一端側に第２折曲げ線１４ｂを介して連設する前面板１７と、前面板１７の一端側に第３折曲げ線１４ｃを介して連設する底面板１８と、底面板１８の一端側に第４折曲げ線１４ｄを介して連設する背面板１９とを含んで形成されている。台座部１１は、上面板１６を台紙本体１２に対して垂直又は略垂直に前方に折り曲げ、前面板１７を上面板１６に対して垂直又は略垂直に下方に折り曲げ、底面板１８を前面板１７に対して垂直又は略垂直に後方に折り曲げ、背面板１９を底面板１８に対して垂直又は略垂直に上方に折り曲げた状態で、背面板１９の先端部分１９ａを台紙本体１２の背面に接合することで、側面視して略ロの字の断面形状を有する台座部１１が形成されるようになっている。且つ台座部１１の上面板１６は、一対の側部上面部１６ａによって挟まれる中間部分に、商品２０の縁部を側部上面部１６ａよりも下方に臨ませる中間凹部１６ｂを備えている。商品２０の下端縁部を中間凹部１６ｂに配置して、これの両側の側部上面部１６ａに商品２０を支持させた状態で、商品２０が台座部１１に載置されるようになっている。
【００１４】
ここで、本願明細書において、下方は、台紙本体１２の中央から台座部１１が設けられた下端部分側に向かう方向であり、上方は、台紙本体１２の中央から下端部分とは反対の上端部分側に向かう方向である。また前方は、台紙本体１２の裏面側から商品２０が取り付けられる表面側に向かう方向であり、後方は、台紙本体１２の表面側から裏面側に向かう方向である。
【００１５】
また、本実施形態では、中間凹部１６ｂは、一対の側部上面部１６ａの内側縁部から中央側に向けて各々片持ち梁状に張り出して設けられた一対の張出し片１６ｃを、コンパクト商品２０の重さや、コンパクト商品２０を台座付き台紙１０へセットする際の押さえ方によって、下方に撓み変形させることにより形成されている。なお、コンパクト商品２０は、コンパクト容器の内部に化粧料等の内容物が充填されたものであっても良く、コンパクト容器の内部が空になっていて、レフィル容器として用いるものであっても良い。
【００１６】
さらに、本実施形態では、台座部１１の前面板１７は、上面板１６の一対の側部上面部１６ａの間の部分において、第２折曲げ線１４ｂよりも上方に凸状に延設する幅止め片１７ａを備えている。
【００１７】
本実施形態の台座付き台紙１０は、例えば一枚の紙製のブランク１３（図２参照）を用いて形成される。ブランク１３は、立体形状の台座部１１を有する台座付き台紙１０を展開した、所定の展開形状となるように、例えば薄板状の紙製のシート材料を、打ち抜いて裁断すること等によって容易に得ることができる。ブランク１３は、側縁部を把持して片持ち状に水平に延設させた場合でも、折れ曲がることなく滑らかに湾曲した状態を容易に保持できる程度の保形剛性及び弾性を備えると共に、手の力で容易に折り曲げることができる程度の変形性を備える。
【００１８】
また、ブランク１８には、例えば半切れ線や罫線やミシン目等からなる折曲げ線１４ａ，１４ｂ，１４ｃ，１４ｄ，１４ｅや、全切れ線等からなるからなる切込み線１５ａ，１５ｂ，１５ｃ，１５ｄ，１５ｅ，１５ｆが、適宜の位置に設けられている。これによって、立体形状の台座部１１が設けられた台座付き台紙１０を、ブランク１８を用いて容易に組み付けることが可能になる。
【００１９】
本実施形態では、図２に示すブランク１８の展開図において、例えば縦幅が１６８ｍｍ程度、横幅が８０ｍｍ程度の大きさの縦長の略矩形形状の台紙本体１２の下方（前記一端側）に、第１折曲げ線１４ａを介して、台紙本体１２と同様の横幅の上面板１６が、例えば２８ｍｍ程度の縦幅で連設している。上面板１６の下方には、第２折曲げ線１４ｂを介して、台紙本体１２と同様の横幅の前面板１７が、例えば１２ｍｍ程度の縦幅で連設している。前面板１７の下方には、第３折曲げ線１４ｃを介して、台紙本体１２と同様の横幅の底面板１８が、上面板１６と同様の例えば２８ｍｍ程度の縦幅で連設している。底面板１８の下方には、第４折曲げ線１４ｄを介して、台紙本体１２と同様の横幅の背面板１９が、例えば２８ｍｍ程度の縦幅で連設している。
【００２０】
本実施形態では、台紙本体１２と上面板１６との間の第１折曲げ線１４ａは、台紙本体１２及び上面板１６の幅方向両側の側部にのみ形成されている。両側の第１折曲げ線１４ａの間の中間部分には、上面板１６側に食い込ませて、扁平な略コの字形状を描く第１切込み線１５ａが形成されている。第１切込み線１５ａの両側の基端部は、両側の第１折曲げ線１４ａの内側端部と各々接続している。第１切込み線１５ａによって囲まれる部分は、台座部１１が組み付けられた際に、台紙本体１２と連続して第１折曲げ線１４ａよりも下方に突出すると共に、好ましくは下端縁部を底面板１８に当接させて、補強片１２ｂを形成する（図４（ａ）参照）。
【００２１】
また、両側の第１折曲げ線１４ａの各々には、これらの中間部分に介在させて、小さなコの字形状の第２切込み線１５ｂが、上面板１６側に食い込ませて形成されている。第２切込み線１５ｂによって囲まれる部分は、台座部１１が組み付けられた際に、台紙本体１２と連続して第１折曲げ線１４ａよりも下方に突出することで、後述する係止補助片１２ｃを形成する。係止補助片１２ｃは、台座部１１が組み付けられた際に、後述する背面板１９に設けられた係止穴１９ｂの外側周縁部に、背面板１９と重ねるようにして配置されることで、後述する係止片１８ｂが係止穴１９ｂから外れないように補強する（図４（ａ）、（ｂ）参照）。
【００２２】
本実施形態では、上面板１６と前面板１７との間の第２折曲げ線１４ｂもまた、上面板１６及び前面板１７の幅方向両側の側部にのみ形成されている。両側の第２折曲げ線１４ｂの間の中間部分には、上面板１６側に食い込ませて、扁平な略円弧形状を描く第３切込み線１５ｃが形成されている。第３切込み線１５ｃの両側の垂直基端部は、両側の第２折曲げ線１４ｂの内側端部と各々接続している。第３切込み線１５ｃによって囲まれる部分は、台座部１１が組み付けられた際に、前面板１７と連続して第２折曲げ線１４ｂよりも上方に突出することで、上述の幅止め片１７ａを形成する。
【００２３】
また、本実施形態では、上面板１６における、両側の第１折曲げ線１４ａと両側の第２折曲げ線１４ｂとによって各々挟まれる部分が、両側の一対の側部上面部１６ａとなっている。これらの側部上面部１６ａの間の中間部分における、第１切込み線１５ａと第３切込み線１５ｃとによって挟まれる部分が、両側の一対の張出し片１６ｃを形成している。一対の張出し片１６ｃは、第１切込み線１５ａと第３切込み線１５ｃとによって挟まれる部分を、中央切取り部１６ｄを形成して分断させることによって、両側の一対の側部上面部１６ａの内側縁部から、中央側に向けて各々片持ち梁状に張り出した状態で設けられている。
【００２４】
本実施形態では、前面板１７と底面板１８との間の第３折曲げ線１４ｃは、底面板１８の両側の側縁から、前面板１７の縦幅（台座部１１が組み付けられた際の高さ）に相当する横幅分離れた位置まで切り込まれた、両側の第４切込み線１５ｄの間の部分に形成されている。また、底面板１８と背面板１９との間の第４折曲げ線１４ｄは、底面板１８の両側の側縁から、前面板１７の縦幅に相当する横幅分離れた位置まで切り込まれた、両側の第５切込み線１５ｅの間の部分に形成されている。
【００２５】
また、本実施形態では、底面板１８の両側の側縁部分には、底面板１８の側縁から前面板１７の縦幅（台座部１１が組み付けられた際の高さ）に相当する横幅分離れた位置に、立設折曲げ線１４ｅが各々形成されている。第３折曲げ線１４ｃ及び第４折曲げ線１４ｄは、これらの両側の端縁から立設折曲げ線１４ｅまでの部分が、上述の第４切込み線１５ｄや第５切込み線１５ｅによって、切り離された状態となっている。これによって、立設折曲げ線１４ｅの上下両側の端部は、第３折曲げ線１４ｃや第４折曲げ線１４ｄの内側端部に各々接続している。またこれによって、底面板１８の立設折曲げ線１４ｅよりも外側の部分を立設フラップ片１８ａとして、立設折曲げ線１４ｅを介して上方に折り曲げることが可能になる。台座部１１が組み付けられた際に、底面板１８に対して垂直又は略垂直に折り曲げられた両側の立設フラップ片１８ａは、これの上端面が、上面板１６の側部上面部１６ａの下面に当接するように各々配置される。
【００２６】
さらに、本実施形態では、第４折曲げ線１４ｄの両側部の第５切込み線１５ｅは、立設折曲げ線１４ｅ側の部分を、扁平な略コの字形状を描いて底面板１８側に食い込ませると共に、底面板１８の側縁側の部分を、第４折曲げ線１４ｄと同一直線上に延設させた形状となるように形成されている。これによって、台座部１１が組み付けられた際に、折り曲げられた両側の立設フラップ片１８ａの背面板１９側の側縁における上端部分には、背面板１９側に突出する係止片１８ｂが各々形成される（図４（ａ）、（ｂ）参照）。係止片１８ｂは、台座部１１が組み付けられた際に、背面板１９に設けられた係止穴１９ｂに挿入されて、これの外側の内周縁部に沿って各々係止される。
【００２７】
さらにまた、本実施形態では、両側の第５切込み線１５ｅの間の第４折曲げ線１４ｄには、これらの中間部分に介在させて、扁平なコの字形状の第６切込み線１５ｆが、底面板１８側に食い込ませて２箇所に形成されている。
【００２８】
本実施形態では、底面板１８と連設する背面板１９には、これの幅方向両側部分に配置されて、略矩形の開口形状を有する係止穴１９ｂが、２箇所に形成されている。係止穴１９ｂは、略矩形の開口形状の外側辺部を、立設折曲げ線１４ｅの延長上に各々配置すると共に、第４折曲げ線１４ｄから前面板１７の縦幅分離れた位置よりも上方に（台座部１１が組み付けられた状態では下方に）、少なくとも一部が開口するように形成される。これによって、台座部１１が組み付けられた際に、これらの係止穴１９ｂに、立設フラップ片１８ａの係止片１８ｂを、係止穴１９の外側の内周縁部に沿わせた状態で各々係止することが可能になる（図４（ａ）、（ｂ）参照）。
【００２９】
また、本実施形態では、背面板１９は、前面板１７の縦幅よりも長い縦幅を有するように形成されている。前面板１７よりも長くなった領域である背面板１９の先端部分１９ａには、例えば接着剤が塗布されて、台紙本体１２の背面に接合することができるようになっている。
【００３０】
そして、本実施形態の台座付き台紙１０は、上述のように加工形成されたブランク１８を用いて、下端部分に商品２０を載置する台座部１１を備える立体形状となるように、容易に組み付けることができる。すなわち、本実施形態では、例えば図３示すように、図２に示す一枚のブランク１８から、第２折曲げ線１４ｂを介して、底面板１８及び背面板１９の部分を背面側に折り返すと共に、背面板１９の先端部分１９ａを台紙本体１２の背面に接合することによって、平坦に二つ折りされた二つ折り台紙１３ａを形成する。平坦な二つ折り台紙１３ａを形成することで、例えば台紙の製造工場から、商品や包装体の製造工場に、大量の台紙を嵩張らせることなく搬送することが可能になる。
【００３１】
二つ折り台紙１３ａから台座付き台紙１０を形成するには、例えば商品や包装体の製造工場において、折り返された第２折曲げ線１４ｂの部分を、前面板１７と底面板１８の間の角度を略９０°まで開かせるようにしながら、前方に押し上げる。これによって、第１折曲げ線１４ａを谷折れ線として台紙本体１２から上面板１６が前方に略垂直に折れ曲がり、第２折曲げ線１４ｂを山折れ線として上面板１６から前面板１６が下方に略垂直に折れ曲がり、第３折曲げ線１４ｃを山折れ線として前面板１７から底面板１８が後方に略垂直に折れ曲がり、第４折曲げ線１４ｄを山折れ線として底面板１８から背面板１９が後方に略垂直に折れ曲がった状態で、略ロの字の断面形状を有する台座部１１が容易に形成される（図４（ａ）参照）。
【００３２】
本実施形態では、さらに、図４（ａ）、（ｂ）に示すように、底面板１８の両側部の立設フラップ片１８ａを、立設折曲げ線１４ｅを介して上方に略垂直に折り曲げて、これの上端面を上面板１６の側部上面部１６ａの下面に各々当接させる。また、立設フラップ片１８ａの背面板１９側の側縁の上端部分に形成された係止片１８ｂを、背面板１９に設けられた係止穴１９ｂに挿入して、これの外側の内周縁部に沿って各々係止する。これらによって、台座付き台紙１０の下端部分に形成された台座部１１は、ロック状態となることで、略ロの字の断面形状を有する立体形状を容易に保持することが可能になると共に、台座部１１に載置された商品２０からの荷重を、強固に且つ安定した状態で支持することが可能になる。
【００３３】
また、本実施形態では、台座部１１が立体形状に組み付けられた際に、台紙本体１２と面一に連続して第１折曲げ線１４ａよりも下方に突出する補強片１２ｂが、好ましくは下端縁部を底面板１８に当接させて配置されると共に、前面板１７と面一に連続して第２折曲げ線１４ｂよりも上方に突出する幅止め片１７ａが、好ましくは台紙本体１２との間に商品２０の厚さに相当する間隔をおいて配置される。
【００３４】
本実施形態では、台座部１１に載置されて台座付き台紙１０に取り付けられる小物の商品２０は、図５に示すように、略円形の平面形状を備えるコンパクト商品２０となっている。コンパクト商品２０は、好ましくは化粧料を充填収容した容器本体２１と、回転連結部２２を介して容器本体２１に開閉可能にピン接合された開閉蓋２３とからなる、開閉蓋２３は、回転連結部２２と径方向に対向する位置に配置された開放操作部２４を押圧操作することによって、開閉蓋２３を開放できるようになっている。
【００３５】
コンパクト商品２０は、図１に示すように、開放操作部２４を下端部に配置すると共に、回転連結部２２を上端部に配置して縦置きした状態で、底面部を台紙本体１２に沿わせるようにして、台紙本体１２と幅止め片１７ａとの間に装着し、台座部１１の上面板１６の上に載置することで、台座付き台紙１０に取り付けられる。これによって、上面板１６の側部上面部１６ａから各々片持ち梁状に張り出して設けられた一対の張出し片１６ｃは、好ましくは化粧料が充填されたコンパクト商品２０の重さや、コンパクト商品２０を台紙１０へセットする際の押さえ方によって、下方に撓み変形することになる。また撓み変形した張出し片１６ｃの先端側部分によって、両側の側部上面部１６ａにより挟まれる上面板１６の中間部分には、コンパクト商品２０の下端縁部を側部上面部１６ａよりも下方に臨ませる、中間凹部１６ｂが形成される。またコンパクト商品２０は、これらの張出し片１６ｃを介して両側の一対の側部上面部１６ａに支持させた状態で、台座部１１に載置されることになる。
【００３６】
また、本実施形態では、台座付き台紙１０に取り付けられたコンパクト商品２０は、開放操作部２４が配置された下端部が、幅止め片１７ａによって前方から覆い隠された状態となる。これによって、店頭にコンパクト商品２０が陳列された際のいたずらを効果的に防止することが可能になると共に、コンパクト商品２０のバージン性を担保することが可能になる。
【００３７】
コンパクト商品２０は、そのまま台紙本体１２に貼り付けられるか、好ましくは台紙本体１２に貼り付けられた公知のシュリンクフィルム（図示せず）によって覆われることで、台座付き台紙１０と一体化されて、台座付き包装体３０が形成される。
【００３８】
そして、上述の構成を備える本実施形態の台座付き台紙１０や台座付き包装体３０によれば、商品であるコンパクト商品２０が略円形の平面形状を有していて、縦置きした際の下端縁部が湾曲している場合でも、湾曲する下端縁部を安定した状態で台座部１１に載置して、コンパクト商品２０を取り付けることが可能になると共に、例えば落下時や衝突時にコンパクト商品２０が受ける衝撃を、効果的に吸収することが可能になる。
【００３９】
すなわち、本実施形態によれば、台座付き台紙１０の下端部分に設けられた、略ロの字の断面形状を有する台座部１１は、これの上面板１６が、両側の一対の側部上面部１６ａによって挟まれる中間部分に、商品２０の縁部を側部上面部１６ａよりも下方に臨ませる中間凹部１６ｂを備えており、コンパクト商品２０の下端縁部を中間凹部１６ｂに配置して、これの両側の一対の側部上面部１６ａに支持させた状態で、コンパクト商品２０が台座部１１に載置されるようになっている。
【００４０】
したがって、本実施形態によれば、台座部１１に載置されたコンパクト商品２０は、上面板１６の両側の一対の側部上面部１６ａによって、少なくとも２点で支持されることになるので、コンパクト商品２０が、略円形の平面形状を有していて、縦置きした際の下端縁部が湾曲している場合でも、安定した状態で台座部１１に載置して、台座付き台紙１０に取り付けることが可能になる。
【００４１】
また、本実施形態によれば、中間凹部１６ｂは、両側の一対の側部上面部１６ａから中央側に向けて各々片持ち梁状に張り出して設けられた一対の張出し片１６ｃを、コンパクト商品２０の重さ等によって、下方に撓み変形させることにより形成されており、一対の張出し片１６ｃは、上下に弾性変形可能な状態で、コンパクト商品２０の下端縁部を接触させて下方から支持しているので、これらの一対の張出し片１６ｃを弾性変形させることによって、例えば落下時や衝突時にコンパクト商品２０が受ける衝撃を、効果的に吸収することが可能になる。
【００４２】
なお、本発明は上記実施形態に限定されることなく種々の変更が可能である。例えば、台座付き台紙は、第２折曲げ線よりも上方に延設する幅止め片や、底面板の両側の側縁部分の立設フラップ片を備えている必要は必ずしも無い。また、台座部に載置される商品は、円形又は略円形の正面形状や平面形状を有している必要は必ずしも無く、略楕円形や略長円形や略矩形や多角形等の、その他の種々の正面形状や平面形状を備えていても良い。台座付き台紙に取り付けられる商品は、化粧料を収容したコンパクト商品以外の、その他の化粧品類や文房具類等の小物の商品であっても良い。
【符号の説明】
【００４３】
１０  台座付き台紙
１１  台座部
１２  台紙本体
１２ａ  吊下げ孔
１２ｂ  補強片
１３  ブランク
１３ｂ  底面部差し込みフラップ片
１４ａ，１４ｂ，１４ｃ，１４ｄ，１４ｅ  折曲げ線
１５ａ，１５ｂ，１５ｃ，１５ｄ，１５ｅ，１５ｆ  切込み線
１６  上面板
１６ａ  側部上面部
１６ｂ  中間凹部
１６ｃ  張出し片
１７  前面板
１７ａ  幅止め片
１８  底面板
１８ａ  立設フラップ片
１８ｂ  係止片
１９  背面板
１９ａ  先端部分
１９ｂ  係止穴
２０  コンパクト商品（小物の商品）
２１  容器本体
２２  回転連結部
２３  開閉蓋
２４  開放操作部
【図１】
2015089818.tif 000003
【図２】
2015089818.tif 000004
【図３】
2015089818.tif 000005
【図４】
2015089818.tif 000006
【図５】
2015089818.tif 000007